(57)【要約】【課題】屋外に設置される防水用コンセントに一体的に取付けられる、人為的な電源プラグの挿抜を防止する盗電防止用カバーを提供する。【解決手段】防水用コンセント４０の背面から取付けられる表側カバー１０と、表側カバー１０に正面から嵌合可能な裏側カバー２０とを凹凸嵌合することで、上面を開放した箱状の盗電防止用カバー３０を形成し、盗電防止用カバー３０で防水用コンセント４０のコンセント差込口及びコンセント差込口に挿入された電源プラグの周囲を被包することによって、電源プラグの人為的な挿抜を防止し、盗電を抑止している。このとき、裏側カバー２０は防水用コンセント４０背面に取付けられた取付け枠４６と共にビス等を用いて設置面に対して一体的に設置され、裏側カバー２０、表側カバー１０が夫々有する、連通する錠取付用貫通孔１４，２４に錠３５を挿通、施錠することで分離不可能に固定している。【選択図】図２
0003097566.tif 000002
【実用新案登録請求の範囲】
【請求項１】
前記防水用コンセント下部の背面、両側面及び底面を被包する横断面コの字形状の裏側カバーと、
前記防水用コンセントの下部の正面、両側面及び底面を被包する横断面コの字形状の表側カバーと、を備え、
前記裏側カバーと前記表側カバーとを凹凸嵌合することで一体化して上面が開放した箱状を形成し、前記防水用コンセントのコンセント差込口に挿入された電源プラグを被包し、底面には電源プラグから延設されるコードを挿通して外部に引き出すためのコード引出し口を有し、前記表側カバーと裏側カバーとを施錠するための錠取付部を有することを特徴とした盗電防止用カバー。
【請求項２】
前記表側カバーの上端部は前記庇部内側縁部に沿って収納される形状とされ、前記防水用コンセントは透明部材からなる庇部を備え、前記表側カバーと裏側カバーで前記電源プラグを被包するとき、該庇部の上端と前記表側カバーの前記上端部の間に透視窓を形成する請求項１の盗電防止用カバー。
【請求項３】
前記裏側カバーは背面上端に該防水用コンセントに係止するための係止部と、壁面への取り付け孔とを備える請求項１又は２の盗電防止用カバー。
【請求項４】
前記裏側カバーは前記表側カバーの横幅よりも大きく設定されていて、縦断面コの字形状の突出板を備え、該突出板が前記表側カバーに嵌入する請求項１乃至３いずれかの盗電防止用カバー。
【考案の詳細な説明】
【０００１】
【考案の属する技術分野】
本考案は、屋外に備え付けられる防水用コンセントに一体的に取付けられるコンセント用カバーに関し、特に人為的な電源プラグの挿抜を防止する盗電防止構造の提供に関する。
【０００２】
【従来の技術】
従来の屋外に設置される電気機械器具の中でも、特に自動販売機の電源供給には、防水用の庇部を備え、庇部の内側にコンセント差込口を備える防水用コンセントが使用されている。又電源プラグには、コンセント差込口に電源プラグを挿入した後、電源プラグを回転させることによってコンセント差込口に固定する、抜け止め機能付きの電源プラグが用いられ、屋外の自動販売機においても、安定した電源接続によって電源供給を行っている。
【特許文献１】特開平１−１００３８４号
【特許文献２】特開平２−１０８２６５号
【０００３】
【考案が解決しようとする課題】
しかしながら、自動販売機用の防水用コンセントは電源プラグが露出しており、例え抜け止め機能付きの電源プラグを使用していたとしても、人為的に電源プラグを挿抜することが容易に可能である。そのため、管理人も気がつかない深夜に、防水用コンセントの電源を利用して電動チェーンカッタ又はグラインダ等を動作させ、自動販売機を破壊して金銭を盗む、所謂自動販売機荒らしを行うものが横行し、問題となっている。また自動販売機荒らしを行わないまでも、防水用コンセントの電源プラグを抜き、携行可能な電気器具又は充電器等の電源プラグを挿して使用する、所謂盗電行為を行うものが発生し、問題となっている。加えて盗電行為は電気を盗まれていることに気付きにくく、対処が遅れて被害が拡大するおそれがある。
【０００４】
【課題を解決するための手段】
上記課題に鑑み、請求項１の考案は、前記防水用コンセント下部の背面、両側面及び底面を被包する横断面コの字形状の裏側カバーと、前記防水用コンセントの下部の正面、両側面及び底面を被包する横断面コの字形状の表側カバーと、を備え、前記裏側カバーと前記表側カバーとを凹凸嵌合することで一体化して上面が開放した箱状を形成し、前記防水用コンセントのコンセント差込口に挿入された電源プラグを被包し、底面には電源プラグから延設されるコードを挿通して外部に引き出すためのコード引出し口を有し、前記表側カバーと裏側カバーとを施錠するための錠取付部を有することを特徴とした盗電防止用カバーである。表側カバーと裏側カバーとを凹凸嵌合することによって、上面開放した箱状の盗電防止用カバーを形成し、コンセント差込口を含む防水用コンセントの下部全周を被包する。そのため、コンセント用カバーを取付けた状態での電源プラグの挿抜が不可能となり、盗電を防止する効果を発揮し、ひいては自動販売機荒らしを抑止する効果を発揮する。
【０００５】
請求項２の考案は、前記表側カバーの上端部は前記庇部内側縁部に沿って収納される形状とされ、前記防水用コンセントは透明部材からなる庇部を備え、前記表側カバーと裏側カバーで前記電源プラグを被包するとき、該庇部の上端と前記表側カバーの前記上端部の間に透視窓を形成する請求項１の盗電防止用カバーである。表側カバーとは裏側カバーと凹凸嵌合可能な巾を有する断面コの字形状であり、防水用コンセント正面の庇部及び防水用コンセントの両側面を被包している。防水用コンセント上方及び前方から降りかかる水滴、飛沫等がコンセント差込口、電源プラグ及びコンセント差込口と電源プラグの接触部分に付着することのない構成となっている。
【０００６】
請求項３の考案は、前記裏側カバーは背面上端に該防水用コンセントに係止するための係止部と、壁面への取り付け孔とを備える請求項１又は２の盗電防止用カバーである。裏側カバーとは背面上端に爪部を有することが好ましく、防水用コンセント背面に一体的に取り付けられた取付け枠の開口に爪部を引掛け、取付け枠を設置面に止着するビス等によって裏側カバーを連通し、防水用コンセントと共に設置面に対して一体的に設置することが好ましい。
【０００７】
請求項４の考案は、前記裏側カバーは前記表側カバーの横幅よりも大きく設定されていて、縦断面コの字形状の突出板を備え、該突出板が前記表側カバーに嵌入する請求項１乃至３いずれかの盗電防止用カバーである。
なお、盗電防止用カバーの表面はステンレス加工されていることが好ましい。
【０００８】
【考案の実施の形態】
以下、本考案を適用した実施形態について図面を参照して説明する。
本考案は、図１〜図６に示す通り、表側カバー１０と裏側カバー２０とを凹凸嵌合することで構成される盗電防止用カバー３０であり、上面を開放した箱状を形成し、コンセント差込口及びコンセント差込口に挿入された電源プラグの周囲を被包し、錠３５で表側カバー１０と裏側カバー２０とを分離不可能に固定したものである。裏側カバー２０は防水用コンセント４０背面に取付けられた取付け枠４６と共にビス等を用いて設置面に対して一体的に設置され、裏側カバー２０に表側カバー１０を凹凸嵌合したものである。これにより盗電防止用カバー３０は、電源プラグ５０の人為的な挿抜を防止し、盗電を防止することができる。
【０００９】
図３〜図５に示す表側カバー１０は、図５（ｃ）及び（ｄ）に示す通り、防水用コンセント４０の下部の正面、両側面及び底面を被包する横断面コの字形状であり、上面と正面側が開放されていて、その裏面上端と側面側には内側に向けて湾曲して形成された湾曲部１１と、図５（ｂ）及び図５（ｅ）に示すように右側面の下端及び底面の夫々には錠３５を連通させるための２つの錠取付用貫通孔１４と、コンセント差込口６０に挿入された電源プラグ５０から延設されたコード５５を外部に引き出す半小判形状のコード引出し口１２と、を備えている。図５（ｆ）に示すように表側カバー１０の左側面には表側カバー１０を裏側カバー２０に対して位置決め固定する嵌合用貫通孔１３を有している。
【００１０】
図３、図４、図６に示す裏側カバー２０は、防水用コンセント４０下部の背面、両側面及び底面を被包する横断面コの字形状とされ、表側カバー１０の幅よりも広く設定されており、さらに、横断面コの字形状の一対の段部２７ａ，２７ｂを有するＬ字状の突出板２８ａ，２８ｂを、所定間隔をあけて形成し、この突出板２８ａ，２８ｂが表側カバー１０に凹凸嵌入し、図６（ｄ）に示すように背面上端部付近には、爪部２１が形成され、この爪部２１は防水用コンセント４０背面の取付け枠４６の開口４６ｃ（図２、図３参照）の下端に引掛けるためのものである。図６（ｃ）及び図６（ｄ）に示すビス孔２２は、裏側カバー２０背面の上端から１／４までの範囲に設けられている取付け枠４６のビス孔４６ｄ（図２、図３参照）の位置と合致する楕円型のものであり、ビス孔４６ｄとビス孔２２とにビス４９ｄを連通することで、裏側カバー２０と防水用コンセント４０とを壁面等の設置面に対して一体的に取付けている。図６（ｂ）及び図６（ｅ）に示すように錠取付用貫通孔２４は、裏側カバー２０の右側面の下端及び底面右側には錠３５（図１参照）を連通させるため、表側カバー１０の錠取付用貫通孔１４と合致するものである。コード引出し口２５は底面の中央に半小判形状に形成され、コンセント差込口６０に挿入された電源プラグ５０から伸びるコード５５を盗電防止用カバー３０の外部に引き出すものである。図６（ｃ）及び図６（ｆ）に示すように嵌合用突起２３は、裏側カバー２０の左側面には表側カバー１０と凹凸嵌合する際に位置決め固定をするため、表側カバー１０の嵌合用貫通孔１３に嵌合するものである。
【００１１】
図４（ａ）〜（ｆ）は表側カバー１０及び裏側カバー２０を凹凸嵌合した盗電防止用カバー３０について示した図である。盗電防止用カバー３０は表側カバー１０と裏側カバー２０とを凹凸嵌合することで形成しており、図４（ａ）に示すように上面を開放した箱状をなしている。表側カバー１０の嵌合用貫通孔１３と裏側カバー２０の嵌合用突起２３とを凹凸嵌合することで位置決め固定している。図４（ｂ）に示すように裏側カバー２０及び表側カバー１０夫々の底面の一辺を切り欠いて形成されるコード引出し口１２，２５が重なり合って楕円形状のコード引出し口３２を形成している。図４（ｂ）及び図４（ｅ）に示すように盗電防止用カバー３０の右側面及び底面には錠３５を挿通可能に連通する、錠取付部として機能する錠取付用貫通孔１４，２４（図では錠取付用貫通孔２４は図示なし）が設けられ、図１に示す通り、錠３５を挿通して施錠することによって盗電防止用カバー３０を分離不可能に固定している。
【００１２】
図１〜図３に示す通り、防水用コンセント４０は、前面に形成される山型部４１と、山型部４１から連続的に設けられた凹入部４２と、山型部４１の下端の端縁部４３と、この端縁部４３の下端から延び出す庇部４４と、下端に突起を備える矩形状をなす取付け枠４６と、内側領域に形成されるプラグ差込口を有するコンセント差込口６０とを備えている。取付け枠４６は防水用コンセント４０の裏面に取り付けるものであり、その中央部に壁面の配線孔から引き出された配電線が貫通する開口４６ｃと、上下端に備えるビス孔４６ａ，４６ｅと、ビス孔４６ｂ、４６ｄと、を設けている。コンセント差込口６０は周知の構造であるので、特開平１−１００３８４号、特開平２−１０８２６５号等を参照されたい。
図１に示すように表側カバー１０上端に設けられている湾曲部１１は、防水用コンセント４０の庇部４４の内側縁部に収納されるが、庇部４４の全部に収容されることはなく、矢印で示す透視窓（隙間Ｄで示す）が空くように構成されている。そのため、庇部４４が透明部材で構成されているのであれば、電源プラグ５０がコンセント差込口６０から外れることなく、或いは接触不良を起すことなく適切に接続されているか否かについて、盗電防止用カバー３０を開放することなく、庇部４４の隙間Ｄからコンセント差込口６０及び電源プラグ５０の状態を確認することが可能な構成となっている。
【００１３】
盗電防止用カバー３０の取り付け及び使用について説明する。図２に示す通り、防水用コンセント４０の壁面への設置は、裏側カバー２０と取付け枠４６とを介して行われる。裏側カバー２０の爪部２１を開口４６ｃ下端に裏側から掛け止め、ビス孔４６ｂ，４６ｄ、及びビス孔２２にビス４９ｂ，４９ｄを挿通し、このビス４９ｂ，４９ｄを壁面にねじ込む。次に、ビス４９ａ，４９ｅにより防水コンセント４０本体を取付け枠４６に取り付ける。電源プラグ５０をコンセント差込口６０に差し込み、コード５５をコード引き出し口２５に通す。嵌合用突起２３に嵌合用貫通孔１３を嵌め込んで位置合わせをしながら裏側カバー２０に表側カバー１０を凹凸嵌合する。そのとき、錠取付用貫通孔１４と錠取付用貫通孔２４とが連通するため、錠３５を挿通することで表側カバー１０と裏側カバー２０とを嵌合しコンセント差込口６０に挿入された電源プラグ５０及びコード５５を被包した状態で錠３５で施錠することが可能である。このとき、表側カバー１０上端の湾曲部１１は防水用コンセント４０の庇部４４の内側縁部に合わせて収納され、コード５５は引き出し口３２を挿通する。電源プラグ５０の挿抜を行うために盗電防止用カバー３０を開放するには、錠３５を開錠し、表側カバー１０を取り外すだけで、電源プラグ５０が露出し、電源プラグ５０の挿抜を行うことが可能である。
【００１４】
【考案の効果】
本考案の盗電防止用カバー３０を使用することによって、錠３５を開錠する手段を有していない第三者にとって、盗電防止用カバー３０を開放するには盗電防止用カバー３０を破壊する以外にないため、屋外に設置された防水用コンセント４０であっても、第三者の手によって容易に挿抜されることはなくなるので、盗電行為を牽制する効果を発揮し、ひいては自動販売機荒らしを抑止する効果を発揮する。加えて、本考案の盗電防止用カバー３０を使用している防水用コンセント４０が盗電行為の被害を受けたとしても、盗電行為を行う際に盗電防止用カバー３０を破壊する必要があるため、盗電防止用カバー３０の破壊状態から盗電行為の有無が確認でき、盗電行為の被害に気付きやすくなる効果を発揮する。また、構造が単純で、必要な工具もドライバー等であるので、簡便に取付けることが可能である。
【図面の簡単な説明】
【図１】盗電防止用カバー３０を取付けた防水用コンセント４０について示した外観斜視図である。
【図２】防水用コンセント４０に盗電防止用カバー３０を取付ける場合の構成を示した分解斜視図である。
【図３】盗電防止用カバー３０を取付けた防水用コンセント４０の平面図（ａ）、底面図（ｂ）、正面図（ｃ）、背面図（ｄ）、右側面図（ｅ）、左側面図（ｆ）である。
【図４】表側カバー１０と裏側カバー２０とを凹凸嵌合した盗電防止用カバー３０の平面図（ａ）、底面図（ｂ）、正面図（ｃ）、背面図（ｄ）、右側面図（ｅ）、左側面図（ｆ）である。
【図５】表側カバー１０の平面図（ａ）、底面図（ｂ）、正面図（ｃ）、背面図（ｄ）、右側面図（ｅ）、左側面図（ｆ）である。
【図６】裏側カバー２０の平面図（ａ）、底面図（ｂ）、正面図（ｃ）、背面図（ｄ）、右側面図（ｅ）、左側面図（ｆ）である。
【符号の説明】
１０：表側カバー　１１：湾曲部　１２：（表側カバーの）コード引出し口　１３：嵌合陥没　１４：錠取付用貫通孔　２０：裏側カバー　２１：爪部　２２：（楕円形の）ビス孔　２３：嵌合突起　２４：錠取付用貫通孔　２５：（裏側カバーの）コード引出し口　３０：盗電防止用カバー　３２：コード引出し口　３５：錠　４０：防水用コンセント　４１：山型部　４２：凹入部　４３：端縁部　４４：庇部　４６：取付け枠　４６ａ〜４６ｅ：（取付け枠の）ビス孔　４９ａ〜４９ｅ：ビス　Ｄ：隙間
【図１】
0003097566.tif 000003
【図２】
0003097566.tif 000004
【図３】
0003097566.tif 000005
【図４】
0003097566.tif 000006
【図５】
0003097566.tif 000007
【図６】
0003097566.tif 000008